(57)【要約】      （修正有）【課題】脚筋引き伸ばし、血行促進、按摩機能を具えた健康機器の提供。【解決手段】台座１０、主機２０、二つのモータ３０，４０、角度調整機構５０及びケース１２を具え、一つのモータ上方にＬ形踏み板６０が設けられ、角度調整機構の一側に一つのモータ４０が接続され、末端が中板の支持フレーム７２に枢設され、Ｌ形踏み板と中板間に四つの円柱が設けられ、並びに固定部品で三者が固定され、Ｌ形踏み板が固定されたモータの作動時にその軸棒と軸受の偏心設計が発生する運転方式によりＬ形踏み板が作動し、これにより血行促進、按摩の作用が形成され、もう一つのモータが作動する時、角度調整機構のスリーブ５２、支持フレームが前向きに駆動され、支持フレームに接続された中板７０、Ｌ形踏み板が前向きに作動し、両者の一端が起き上がり、脚筋引き伸ばしの効果が得られる。【選択図】図２
0003114130.tif 000002
【実用新案登録請求の範囲】
【請求項１】
脚筋引き伸ばし、血行促進、按摩の三種類の機能を一体に整合させてなり、台座、主機、二つのモータ、角度調整機構及びケースを具え、
該台座の前端に底板が設けられ、台座の後端にケースが設けられ、底板上方に柱体が固定され、柱体の下端に固定座が設けられ、
該主機の前方パネル部分にスイッチボタンが設けられ、両側の対応する部分に伝動輪、振動帯が設けられ、別に振動帯が取り付けられる時には、その両端の係止部が主機の両側の伝動輪に挿入される、健康機器において、
該健康機器のケース内部に二つのモータ、角度調整機構が設けられ、両側の対応部分に逆Ｕ形フレームが設けられ、
そのうち一方のモータの上方に複数の円柱が設けられ、もう一方のモータに角度調整機構が接続され、該角度調整機構の一端にスクリュー、スリーブが順に設けられ、
該ケース内部に別にＬ形踏み板、中板が設けられ、モータと角度調整機構が接続され、  該Ｌ形踏み板の一端にストッパ片が設けられ、表面に凹溝、複数の凸粒が設けられ、該凹溝内部に凸粒が一面に配設されたフットパッドが設置され、
該中板の中央部分に穿孔が設けられ、それにモータが挿設され、その両側に片体が設けられ、片体の横に支持フレームが設けられ、
組立時には、固定部品を利用して、Ｌ形踏み板、円柱及び中板を一体に結合させた後、更に結合後の板材をモータに対して下向きに移動させ、モータを中板の穿孔に通し、円柱とＬ形踏み板を係止後、更に固定部品を利用し、Ｌ形踏み板をモータ上方に固定する。中板の片体の穿孔と台座の逆Ｕ形フレームの穿孔を対応させ、支持フレームの穿孔とスリーブの穿孔を対応させた後、更に枢設部品を利用しそれを枢設し、枢設後の支持フレーム、片体は回転可能とされることを特徴とする、健康機器。
【考案の詳細な説明】
【技術分野】
【０００１】
本考案は一種の健康機器に係り、特に脚筋引き伸ばし、血行促進、按摩の三種類の異なる機能を一体に整合させた健康機器に関する。
【背景技術】
【０００２】
周知の健康機器には図８に示されるようなものがあり、この健康機器９０は、主機９１、二つの伝動輪９２、振動帯９３、支持フレーム９４及び踏み板９５が組み合わされてなる。それはタッピング、振動機能を提供するが、僅かに腰部に対してのみであり、人体のその他の部分に対してタッピング、振動機能を提供することはできず、このため周知の健康機器９０は単一機能型に属する。ゆえに消費者が脚部やその他の部分を按摩したい時は、按摩が必要な部分に合わせた器具を購入しなければならない。
【考案の開示】
【考案が解決しようとする課題】
【０００３】
本考案は周知の健康機器の使用機能上、ただ単一機能しか提供できず、空間形態が十分に利用されていない欠点及び未完全な部分に対して改良を行ったものである。
【０００４】
本考案は一種の健康機器を提供することを目的とし、それは脚筋引き伸ばし、血行促進、按摩の三種類の機能を一体に整合させてなる健康機器であり、台座、主機、二つのモータ、角度調整機構及びケースを具えている。
【０００５】
該台座の前端に底板が設けられ、後端にケースが設けられ、底板上方に柱体が固定され、柱体の下端に固定座が設けられている。
【０００６】
該主機の前方パネル部分にスイッチボタンが設けられ、両側の対応する部分に伝動輪、振動帯が設けられ、別に振動帯が取り付けられる時には、その両端の係止部が主機の両側の伝動輪に挿入される。
【０００７】
本考案の特徴は以下のとおりである。該健康機器のケース内部に二つのモータ、角度調整機構が設けられ、両側の対応部分に逆Ｕ形フレームが設けられている。
【０００８】
そのうち一方のモータの上方に複数の円柱が設けられ、もう一方のモータに角度調整機構が接続され、該角度調整機構の一端にスクリュー、スリーブが順に設けられている。
【０００９】
該ケース内部に別にＬ形踏み板、中板が設けられ、モータと角度調整機構が接続されている。
【００１０】
該Ｌ形踏み板の一端にストッパ片が設けられ、表面に凹溝、複数の凸粒が設けられ、該凹溝内部に凸粒が一面に配設されたフットパッドが設置されている。
【００１１】
該中板の中央部分に穿孔が設けられ、それにモータが挿設され、その両側に片体が設けられ、片体の横に支持フレームが設けられる。
【００１２】
組立時には、固定部品を利用して、Ｌ形踏み板、円柱及び中板を一体に結合させた後、更に結合後の板材をモータに対して下向きに移動させ、モータを中板の穿孔に通し、円柱とＬ形踏み板を係止後、更に固定部品を利用し、Ｌ形踏み板をモータ上方に固定する。中板の片体の穿孔と台座の逆Ｕ形フレームの穿孔を対応させ、支持フレームの穿孔とスリーブの穿孔を対応させた後、更に枢設部品を利用しそれを枢設する。枢設後の支持フレーム、片体は回転可能とされる。
【課題を解決するための手段】
【００１３】
請求項１の考案は、脚筋引き伸ばし、血行促進、按摩の三種類の機能を一体に整合させてなり、台座、主機、二つのモータ、角度調整機構及びケースを具え、
該台座の前端に底板が設けられ、台座の後端にケースが設けられ、底板上方に柱体が固定され、柱体の下端に固定座が設けられ、
該主機の前方パネル部分にスイッチボタンが設けられ、両側の対応する部分に伝動輪、振動帯が設けられ、別に振動帯が取り付けられる時には、その両端の係止部が主機の両側の伝動輪に挿入される、健康機器において、
該健康機器のケース内部に二つのモータ、角度調整機構が設けられ、両側の対応部分に逆Ｕ形フレームが設けられ、
そのうち一方のモータの上方に複数の円柱が設けられ、もう一方のモータに角度調整機構が接続され、該角度調整機構の一端にスクリュー、スリーブが順に設けられ、
該ケース内部に別にＬ形踏み板、中板が設けられ、モータと角度調整機構が接続され、  該Ｌ形踏み板の一端にストッパ片が設けられ、表面に凹溝、複数の凸粒が設けられ、該凹溝内部に凸粒が一面に配設されたフットパッドが設置され、
該中板の中央部分に穿孔が設けられ、それにモータが挿設され、その両側に片体が設けられ、片体の横に支持フレームが設けられ、
組立時には、固定部品を利用して、Ｌ形踏み板、円柱及び中板を一体に結合させた後、更に結合後の板材をモータに対して下向きに移動させ、モータを中板の穿孔に通し、円柱とＬ形踏み板を係止後、更に固定部品を利用し、Ｌ形踏み板をモータ上方に固定する。中板の片体の穿孔と台座の逆Ｕ形フレームの穿孔を対応させ、支持フレームの穿孔とスリーブの穿孔を対応させた後、更に枢設部品を利用しそれを枢設し、枢設後の支持フレーム、片体は回転可能とされることを特徴とする、健康機器としている。
【考案の効果】
【００１４】
本考案は、脚筋引き伸ばし、血行促進、按摩機能を具えた健康機器を提供することにあり、この三種類の異なる機能を一体に整合させたことで、消費者は一台で多種類の機能を享受でき、並びに人体部分の違いによりその機能形態を選択できる。健康機器は周知の健康機器の踏み板空間を利用し、モータ、角度調整機構を設置する区域となし、これにより十分にその空間形態を利用し、健康機器の全体体積を増加することがなく、場所を占有しない。
【考案を実施するための最良の形態】
【００１５】
図１、２は本考案の健康機器の立体外観図、立体分解図である。本考案の健康機器１は、脚筋引き伸ばし、血行促進、按摩の三種類の機能を一体に整合させてなる健康機器であり、台座１０、主機２０、二つのモータ３０、４０、角度調整機構５０及びケース１２を具えている。
【００１６】
該台座１０の前端に底板１１が設けられ、後端にケース１２が設けられ、底板１１上方に柱体１１１が固定され、柱体１１１の下端に固定座１１２が設けられている。
【００１７】
該主機２０の前方パネル部分にスイッチボタンが設けられ、両側の対応する部分に伝動輪２２、振動帯２４が設けられ、下方に支持棒２１が設けられて底板１１の柱体１１１内部に挿入され、別に振動帯２４が取り付けられる時には、その両端の係止部２３が主機２０の両側の伝動輪２２に挿入される。
【００１８】
本考案の特徴は以下のとおりである。該健康機器１のケース１２内部に二つのモータ３０、４０、角度調整機構５０が設けられ、角度調整機構５０の一端に順にスクリュー５１、スリーブ５２が設けられている。
【００１９】
該ケース１２内部に別にＬ形踏み板６０、中板７０が設けられて、モータ３０、４０、角度調整機構５０と接続される。
【００２０】
該Ｌ形踏み板６０の一端にストッパ片６１が設けられ、表面に凹溝６２、複数の凸粒６３が設けられ、該凹溝６２内部に凸粒６４１が表面に配設されたフットパッド６４が設置されている。
【００２１】
該中板７０の中央部分に穿孔７１が設けられ、それにモータ３０が挿設され、その両側に片体７３が設けられ、片体７３の横に支持フレーム７２が設けられる。
【００２２】
組立時には、固定部品を利用して、Ｌ形踏み板６０、円柱８０及び中板７０を一体に結合させた後、更に結合後の板材をモータ３０に対して下向きに移動させ、モータ３０を中板７０の穿孔７１に通し、円柱３１とＬ形踏み板６０を係止後、更に固定部品を利用し、Ｌ形踏み板６０をモータ３０上方に固定する。中板７０の片体７３の穿孔と台座１０の逆Ｕ形フレームの穿孔１３を対応させ、支持フレーム７２の穿孔とスリーブ５２の穿孔を対応させた後、更に枢設部品７４、５３を利用しそれを枢設する。枢設後の支持フレーム７２、片体７３は回転可能とされる。
【００２３】
健康機器１の組立完成後に、更にフットパッド６４をＬ形踏み板６０の上方に置き、その全体の美観性を増す。
【００２４】
図３、４、５、６、７は本考案の脚筋引き伸ばし、血行促進、按摩の動作図である。
【００２５】
健康機器１の主機２０（図２）のモータが作動時に、伝動輪２２を駆動し、振動帯２４を駆動して適度のパッティング、振動を形成させ、これによりボディービルド、腰の按摩、血行促進の効果を達成する。
【００２６】
モータ３０作動時に、その軸棒と軸受の偏心設計の発生する運転方式により、Ｌ形踏み板６０を作動させ、これにより人体脚部の血行促進、按摩の作用を達成する。
【００２７】
もう一つのモータ４０が作動する時、角度調整機構５０のスリーブ５２がスクリュー５１の方向に前進し、スリーブ５２に接続された支持フレーム７２もまたスリーブ５２の前進に伴い前進し、傾斜状態を呈する。これと同時に、支持フレーム７２に接続された中板７０とＬ形踏み板６０も支持フレーム７２の前進に伴い傾斜状態を呈し、両者の一端が上昇し、脚筋引き伸ばしの効果を達成する。
【００２８】
総合すると本考案は以下のような優れた点を有している。
１．本考案の健康機器は三種類の異なる機能、作用を一体に整合することにより、消費者に一台で多機能を提供し、人体部分の違いによりその機能を選択することができる。
２．本考案の健康機器は周知の健康機器の踏み板部分の空間を利用して、モータ、角度調整機構を設置し、この方法は十分にその空間を利用でき、健康機器の全体サイズを増すことなく、場所をとらない。
３．健康機器にリモートコントローラーが付設され、消費者が随時停止、動作機能の変更を行え、使い易く便利な設計である。
【００２９】
総合すると、本考案は確実に脚筋引き伸ばし、血行促進、按摩の三種類の機能を整合させた健康機器であり実用価値と進歩性を有し、その全体の組合せと構造については同類の製品中に同一のものはなく、またその出願前に未公開であり、新規性を有している。
【図面の簡単な説明】
【００３０】
【図１】本考案の健康機器の立体外観図である。
【図２】本考案の健康機器の立体分解図である。
【図３】本考案の健康機器の動作図（一）である。
【図４】本考案の健康機器の動作図（二）である。
【図５】本考案の健康機器の動作図（三）である。
【図６】本考案の健康機器の動作図（四）である。
【図７】本考案の健康機器の動作図（五）である。
【図８】周知の健康機器の立体外観図である。
【符号の説明】
【００３１】
１  健康機器                    １０  台座
１１  底板                      １１１  柱体
１１２  固定座                  １２  ケース
１３  逆Ｕ形フレーム            ２０  主機
２１  支持棒                    ２２  伝動輪
２３  係止部                    ２４  振動帯
３０  モータ                    ３１  円柱
４０  モータ                    ５０  角度調整機構
５１  スクリュー                ５２  スリーブ
５３  枢設部品                  ６０  Ｌ形踏み板
６１  ストッパ片                ６２  凹溝
６３  凸粒                      ６４  フットパッド
６４１  凸粒                    ７０  中板
７１  穿孔                      ７２  支持フレーム
７３  片体                      ７４  枢設部品
８０  円柱
９０  健康機器                  ９１  主機
９２  伝動輪                    ９３  振動帯
９４  支持フレーム              ９５  踏み板
【図１】
0003114130.tif 000003
【図２】
0003114130.tif 000004
【図３】
0003114130.tif 000005
【図４】
0003114130.tif 000006
【図５】
0003114130.tif 000007
【図６】
0003114130.tif 000008
【図７】
0003114130.tif 000009
【図８】
0003114130.tif 000010